(57)【要約】【課題】視聴者が番組を選択する際、複数の番組の中から所望の番組を直接的に選択することが可能な番組選択装置を提供すること。【解決手段】マルチメディア（映像・音声）と、マルチメディアの内容に関連する地理座標を格納した番組情報をひとつのTransport Streamとした複数の番組を受信し、番組情報を蓄積する番組選択装置１００であって、蓄積された番組情報から地理座標を取得し番組地理情報テーブル１０８を生成し、以降番組情報が更新される毎に番組地理情報テーブル１０８を更新する地理座標取得手段１０７と、地理座標が記録された記録媒体から地理座標１１０を読み取る地理座標読取手段１０９と、地理座標取得手段１０７で取得した地理座標と地理座標読取手段１０９で読み取った地理座標とが一致するか比較する地理座標比較手段１１１と、地理座標比較手段１１１の比較結果が一致した番組を選択する地理座標番組選択手段１１２とを備える。【選択図】図１
2010034611.tif 000002
【特許請求の範囲】
【請求項１】
マルチメディア（映像・音声）と、マルチメディアの内容に関連する地理座標を格納した番組情報をひとつのTransport Stream（以下、TSと記載）とした複数の番組を受信し、番組情報を蓄積する番組選択装置であって、
蓄積された番組情報から地理座標を取得し番組地理情報テーブルを生成し、以降番組情報が更新される毎に番組地理情報テーブルを更新する地理座標取得手段と、
地理座標が記録された記録媒体から地理座標を読み取る地理座標読取手段と、
前記地理座標取得手段で取得した地理座標と前記地理座標読取手段で読み取った地理座標とが一致するか比較する地理座標比較手段と、
前記地理座標比較手段の比較結果が一致した番組を選択する地理座標番組選択手段とを備えることを特徴とする番組選択装置。
【請求項２】
前記地理座標読取手段で読み取った地理座標を、視聴者の指定した方位、距離に従って修正する地理座標修正手段を備えることを特徴とする、請求項１記載の番組選択装置。
【請求項３】
前記地理座標比較手段で視聴者が指定した距離以内の差異であれば一致と判断するように比較精度を変更する地理座標比較精度変更手段を備えることを特徴とする、請求項１記載の番組選択装置。
【請求項４】
前記地理座標読取手段で読み取った地理座標を記憶し、前記地理座標取得手段により番組地理情報テーブルが更新される毎に、前記地理座標比較手段で地理座標を比較することを特徴とする、請求項１記載の番組選択装置。
【請求項５】
マルチメディアと、マルチメディアの内容に関連する地理座標を格納したタイトル情報をひとつのTSとした複数のタイトルが含まれているメディアを読み取り、タイトル情報を蓄積する番組選択装置であって、
蓄積されたタイトル情報から地理座標を取得しタイトル地理情報テーブルを生成し、以降タイトル情報が更新される毎にタイトル地理情報テーブルを更新する地理座標取得手段と、
地理座標が記録された記録媒体から地理座標を読み取る地理座標読取手段と、
前記地理座標取得手段で取得した地理座標と前記地理座標読取手段で読み取った地理座標とが一致するか比較する地理座標比較手段と、
前記地理座標比較手段の比較結果が一致したタイトルを選択する地理座標タイトル選択手段とを備えることを特徴とする番組選択装置。
【請求項６】
マルチメディアと、マルチメディアの内容に関連する地理座標を格納した番組情報をひとつのTSとした複数の番組を受信し、番組情報を蓄積する番組選択方法であって、
蓄積された番組情報から地理座標を取得し番組地理情報テーブルを生成し、以降番組情報が更新される毎に番組地理情報テーブルを更新する地理座標取得ステップと、
地理座標が記録された記録媒体から地理座標を読み取る地理座標読取ステップと、
前記地理座標取得ステップで取得した地理座標と前記地理座標読取ステップで読み取った地理座標とが一致するか比較する地理座標比較ステップと、
前記地理座標比較ステップの比較結果が一致した番組を選択する地理座標番組選択ステップとを含むことを特徴とする番組選択方法。
【請求項７】
マルチメディアと、マルチメディアの内容に関連する地理座標を格納した番組情報をひとつのTSとした複数の番組を受信し、番組情報を蓄積するための番組選択プログラムであって、
蓄積された番組情報から地理座標を取得し番組地理情報テーブルを生成し、以降番組情報が更新される毎に番組地理情報テーブルを更新する地理座標取得ステップと、
地理座標が記録された記録媒体から地理座標を読み取る地理座標読取ステップと、
前記地理座標取得ステップで取得した地理座標と前記地理座標読取ステップで読み取った地理座標とが一致するか比較する地理座標比較ステップと、
前記地理座標比較ステップの比較結果が一致した番組を選択する地理座標番組選択ステップとをコンピュータに実行させるためのプログラム。
【請求項８】
マルチメディアと、マルチメディアの内容に関連する地理座標を格納した番組情報をひとつのTSとした複数の番組を受信し、番組情報を蓄積するための番組選択プログラムを記録したコンピュータ読み取り可能な記録媒体であって、
蓄積された番組情報から地理座標を取得し番組地理情報テーブルを生成し、以降番組情報が更新される毎に番組地理情報テーブルを更新する地理座標取得ステップと、
地理座標が記録された記録媒体から地理座標を読み取る地理座標読取ステップと、
前記地理座標取得ステップで取得した地理座標と前記地理座標読取ステップで読み取った地理座標とが一致するか比較する地理座標比較ステップと、
前記地理座標比較ステップの比較結果が一致した番組を選択する地理座標番組選択ステップとをコンピュータに実行させるためのプログラムを記録したコンピュータ読み取り可能な記録媒体。
【請求項９】
マルチメディアと、マルチメディアの内容に関連する地理座標を格納した番組情報をひとつのTSとした複数の番組を受信し、番組情報を蓄積する番組選択装置用の集積回路であって、
蓄積された番組情報から地理座標を取得し番組地理情報テーブルを生成し、以降番組情報が更新される毎に番組地理情報テーブルを更新する地理座標取得部と、
地理座標が記録された記録媒体から地理座標を読み取る地理座標読取部と、
前記地理座標取得部で取得した地理座標と前記地理座標読取部で読み取った地理座標とが一致するか比較する地理座標比較部と、
前記地理座標比較部の比較結果が一致した番組を選択する地理座標番組選択部とを備えることを特徴とする集積回路。
【発明の詳細な説明】
【技術分野】
【０００１】
本発明は、デジタル放送およびメディアにおける番組および映像選択システムに関し、特に、複数の番組および映像の中から所望の番組および映像を選択する番組選択装置、番組選択方法、プログラム、プログラムを記録したコンピュータ読み取り可能な記録媒体、及び集積回路に関するものである。
【背景技術】
【０００２】
近年、テレビ放送はアナログ技術からデジタル技術への転換という変革期を迎えており、BS、CSをはじめとする衛星放送だけでなく、地上波放送のデジタル化が進んでいる。デジタル放送では、従来のアナログ放送に比べ高画質・高音質のハイビジョン放送にとどまらず、様々な情報を電波に乗せて送るデータ放送、時間帯によってハイビジョン放送や複数の標準テレビ放送を組み合わせて放送するマルチ編成などといった多くのサービスが特徴である。また、デジタル化されたことで電波の使用効率が向上し、多くの情報の送信が可能になったことにより、急速に多チャンネル化が進んでいる。
【０００３】
しかし、チャンネル数が増えることで、視聴者が所望する番組選択が困難となるため、複数のチャンネルの中から所望の番組を選択する技術が要望されている。
複数のチャンネルの中から所望の番組を選択する従来の技術としては、各映像の空間情報と各映像の相関関係を示す情報とチャンネル番号を関連付け、現在選択されている映像を元に視聴者に直感的に番組を選択させるものがあった（例えば、特許文献１参照）。
【特許文献１】特開平１１−３５５６７６号公報
【発明の開示】
【発明が解決しようとする課題】
【０００４】
しかしながら、前記従来の構成では、視聴者が所望する番組を選択するためには、現在選択されている映像を元に、あらかじめ用意された映像の相関関係をたどる必要があるため、所望の番組を選択するためには視聴者の複数回の操作が必要となるという課題を有していた。
本発明は、前記課題を解決するもので、番組選択の際に、視聴者が一度の操作で所望する番組の選択が可能な番組選択装置を提供することを目的とする。
【課題を解決するための手段】
【０００５】
前記課題を解決するために、請求項１の発明の番組選択装置は、放送局からマルチメディア（映像・音声）と、マルチメディアの内容に関連する地理座標を格納した番組情報をひとつのTransport Stream（以下、TSと記載）とした複数の番組を受信し、番組情報を蓄積する装置であって、蓄積されている番組情報から地理座標を取得し番組地理情報テーブルを生成し、以降番組情報が更新される毎に番組地理情報テーブルを更新するための地理座標取得手段と、地理座標が記録された記録媒体から地理座標を読み取る地理座標読取手段と、地理座標取得手段で取得した地理座標と地理座標読取手段で読み取った地理座標とが一致するか比較する地理座標比較手段と、地理座標比較手段での比較結果が一致した番組を選択する地理座標番組選択手段を備える。
【０００６】
また、請求項２の発明の番組選択装置は、地理座標読取手段で読み取った地理座標を、視聴者の指定した方位、距離に従って修正する地理座標修正手段を備えることを特徴とする。
【０００７】
また、請求項３の発明の番組選択装置は、地理座標比較手段で視聴者が指定した距離以内の差異であれば一致と判断するように比較精度を変更する地理座標比較精度変更手段を備えることを特徴とする。
【０００８】
また、請求項４の発明の番組選択装置は、地理座標読取手段で読み取った地理座標を記憶し、前記地理座標取得手段により番組地理情報テーブルが更新される毎に、前記地理座標比較手段で地理座標を比較することを特徴とする。
【０００９】
また、請求項５の発明の番組選択装置は、マルチメディアと、マルチメディアの内容に関連する地理座標を格納したタイトル情報をひとつのTSとした複数のタイトルが含まれているメディアを読み取り、タイトル情報を蓄積する番組選択装置であって、蓄積されたタイトル情報から地理座標を取得しタイトル地理情報テーブルを生成し、以降タイトル情報が更新される毎にタイトル地理情報テーブルを更新する地理座標取得手段と、地理座標が記録された記録媒体から地理座標を読み取る地理座標読取手段と、地理座標取得手段で取得した地理座標と地理座標読取手段で読み取った地理座標とが一致するか比較する地理座標比較手段と、地理座標比較手段の比較結果が一致したタイトルを選択する地理座標タイトル選択手段とを備えることを特徴とする。
【００１０】
また、請求項６の発明の番組選択方法は、蓄積された番組情報から地理座標を取得し番組地理情報テーブルを生成し、以降番組情報が更新される毎に番組地理情報テーブルを更新する地理座標取得ステップと、地理座標が記録された記録媒体から地理座標を読み取る地理座標読取ステップと、前記地理座標取得ステップで取得した地理座標と前記地理座標読取ステップで読み取った地理座標とが一致するか比較する地理座標比較ステップと、前記地理座標比較ステップの比較結果が一致した番組を選択する地理座標番組選択ステップとを含むことを特徴とする。
【００１１】
また、請求項７の発明の番組選択プログラムは、蓄積された番組情報から地理座標を取得し番組地理情報テーブルを生成し、以降番組情報が更新される毎に番組地理情報テーブルを更新する地理座標取得ステップと、地理座標が記録された記録媒体から地理座標を読み取る地理座標読取ステップと、前記地理座標取得ステップで取得した地理座標と前記地理座標読取ステップで読み取った地理座標とが一致するか比較する地理座標比較ステップと、前記地理座標比較ステップの比較結果が一致した番組を選択する地理座標番組選択ステップとを含むことを特徴とする。
【００１２】
また、請求項８の発明の番組選択プログラムを記録したコンピュータ読み取り可能な記録媒体は、蓄積された番組情報から地理座標を取得し番組地理情報テーブルを生成し、以降番組情報が更新される毎に番組地理情報テーブルを更新する地理座標取得ステップと、地理座標が記録された記録媒体から地理座標を読み取る地理座標読取ステップと、前記地理座標取得ステップで取得した地理座標と前記地理座標読取ステップで読み取った地理座標とが一致するか比較する地理座標比較ステップと、前記地理座標比較ステップの比較結果が一致した番組を選択する地理座標番組選択ステップとをコンピュータに実行させるためのプログラムを記録したことを特徴とする。
【００１３】
また、請求項９の発明の番組選択装置用の集積回路は、蓄積された番組情報から地理座標を取得し番組地理情報テーブルを生成し、以降番組情報が更新される毎に番組地理情報テーブルを更新する地理座標取得部と、地理座標が記録された記録媒体から地理座標を読み取る地理座標読取部と、前記地理座標取得部で取得した地理座標と前記地理座標読取部で読み取った地理座標とが一致するか比較する地理座標比較部と、前記地理座標比較部の比較結果が一致した番組を選択する地理座標番組選択部とを備えることを特徴とする。
【発明の効果】
【００１４】
以上説明したように、本発明における番組選択装置によれば、放送局が番組情報に地理座標を格納した複数の番組を放送する、もしくは、メディアのタイトル情報に地理座標を格納した複数のタイトルをメディアに記録し、視聴者が視聴したい場所の地理座標を記録した記録媒体を保持することで、視聴者は、記録媒体に記録された地理情報を番組選択装置に読み取らせるだけで、複数の番組およびタイトルの中から視聴者が所望する番組およびタイトルを直接的に選択することが出来る。
また、記録媒体から読み取った地理座標を修正可能とすることで、柔軟に視聴者が所望する番組を選択することが出来る。
また、記録媒体から読み取った地理座標の比較精度を変更可能とすることで、視聴者が選択可能な番組の幅が広がる。
また、記録媒体から読み取った地理座標を記憶することで、番組地理情報テーブルが更新される毎に地理座標を比較することが出来、視聴者が所望する番組を継続的に監視することが可能となる。
【発明を実施するための最良の形態】
【００１５】
以下、本発明の実施の形態について、図面を参照しながら詳細に説明する。
（実施の形態１）
図１は、実施の形態１における、デジタル放送での番組選択装置の機能ブロック図である。番組選択装置１００は、放送局からマルチメディアと、マルチメディアの内容に関連する地理座標を格納した番組情報をひとつのTSとした複数の番組のデジタル信号をアンテナから受信し、受信したデジタル信号を復調するチューナー１０１と、受信したTSからMPEG2信号や番組情報などの付加情報を取り出すTSデコード部１０２と、TSデコード部１０２で取り出されたMPEG2信号のAVデータ（映像データと音声データ）の同期を取りながら復号するAVデコード部１０４と、復号されたAVデータをディスプレイやスピーカーに出力するAV出力部１０５と、TSデコード部で取り出されたセクションを解析して、番組配列情報（SI）に含まれる番組情報を番組情報記憶部１０６に登録するセクション解析部１０３と、番組情報記憶部１０６に登録されている番組情報から地理座標を取得し番組地理情報テーブル１０８を生成し、以降番組情報が更新される毎に番組地理情報テーブル１０８を更新する地理座標取得手段１０７と、記録媒体に記録されている地理座標を読み取り、番組選択装置内部に地理座標１１０を取り込む地理座標読取手段１０９と、地理座標取得手段１０７で取得した地理座標と地理座標読取手段１０９で読み取った地理座標とが一致するか比較する地理座標比較手段１１１と、比較結果が一致した番組を選択する地理座標番組選択手段１１２と、リモートコントローラ等による視聴者からの操作を受け付ける操作受付部１１３と、操作受付部で視聴者からの操作を受け付けた結果、番組を選択する番組選択手段１１４と、からなっている。
【００１６】
番組配列情報（SI）２０１は、MPEG2-SYSTEMで標準化された伝送制御信号であり、チューニング情報、番組タイムスケジュール情報、そして、有料放送に関する情報などマルチメディアを制御するために必要な情報を含む。図２には、番組情報２０３をEIT（Event Information Table）２０２に含めた構成を示す。番組情報２０５は、EITのdescriptor２０４に含められる。
番組情報２０５は、番組を特定する情報から構成され、番組を識別する番組ID２０６と、番組名２０７と、番組の開始時間２０８と、番組に含まれる映像の地理座標種別２０９と、地理座標２１０、などから構成される。
【００１７】
図３は、図２に記載した地理座標種別の一覧を示す。地理座標種別には、GPSから取得した緯度および経度情報やサービス提供者作成の情報のような、地理座標の種別を定義する。サービス提供者作成の情報とは、座席位置、競技場内の論理位置のように、サービス提供者が独自に定義できる情報を意味する。本実施の形態１では、図３より、GPSから取得した緯度および経度を使用する。なお地理座標種別は、地理座標の種別を特定出来るデータであれば、図３に定義した値、形式や種類に依存しない。
また図２より、GPSから取得した緯度および軽度を使用する際、地理座標２１０の単位はdms度分秒単位を使用しているが、他の単位を使用しても良い。
【００１８】
本発明の実施の形態１では、放送局からマルチメディアと、マルチメディアの内容に関連する地理座標を格納した番組情報をひとつのTSとした複数の番組を受信する上記構成からなる番組選択装置において、視聴者が保持している記録媒体に記録されている地理座標が、番組の番組情報に格納されている地理座標の近傍に存在する場合であって、例えば視聴者が体感したサッカー観戦の臨場感を自宅で再現する場合を説明する。
【００１９】
図４は、マルチアングルで多方向から撮影される撮影対象物（サッカー場）３００とその周囲のカメラの位置関係を示す斜視図である。サッカー場３００の周囲には、８台のカメラ（カメラ３０１〜カメラ３０８）が設置されており、例えば視聴者はある座席位置３０９から観戦しているとする。図５に示すように、それぞれのカメラには、カメラを識別するカメラ番号と、カメラ位置を示す地理座標が割り当てられている。また、カメラで撮影された映像には番組IDが割り当てられ、映像には撮影したカメラ位置を示す地理情報が番組情報に付加される。本実施の形態1では、図４のように、カメラ３０１からカメラ３０８が同一の撮影対象であるサッカー場３００を撮影する場合、番組ID1-1から番組ID1-8までの合計８チャンネルから構成されるマルチチャンネルでサッカー場の映像が放送される。
【００２０】
図６は、図４のマルチアングルで多方向から撮影される撮影対象物（サッカー場）３００とその周囲のカメラの位置関係を示す斜視図の座標を示したイメージ図である。視聴者の座席位置とカメラの位置を結んだ直線距離を点線４０１〜４０８で表している。なお、点線４０１は図４で示しているところの、視聴者の座席位置３０９とカメラ３０１を結んだ直線距離を表しており、その他も同様に、図４の視聴者の座席位置３０９とカメラ３０２〜３０８の各々を結んだ直線距離を表している。また、視聴者の座席位置は、経度：132度10分58秒5000、緯度：36度00分35秒5000とする。
【００２１】
図７は、地理座標取得手段１０７から生成された番組地理情報テーブル１０８の詳細を表す。番組地理情報テーブル１０８は、番組情報から取得した番組ID７０１、地理座標種別７０２、地理座標７０３の情報を保持する。
【００２２】
次に、本発明の実施の形態１に関わる動作を図８〜１０のフローチャートに基づいて説明する。
図８は、本発明の実施の形態１における、視聴者が所望する番組を選択するフローチャートであり、他の実施の形態においても基本となるものである。番組選択装置では、アンテナから受信した複数の番組の番組情報に格納されている地理座標を取得する（ST１０００）。また、一方では、視聴者が保持している記録媒体に記録されている地理座標を読み取る（ST２０００）。これらの処理は、非同期に実行される。それぞれ地理座標を取得した後、その番組から取得した地理座標と記録媒体から読み取った地理座標を比較し、比較結果が一致する番組を選択する（ST３０００）。
【００２３】
図９は、番組の番組情報に格納されている地理座標を取得する処理（図８のST１０００）に関する詳細なフローチャートである。まず、複数の番組をアンテナから受信し（ST１００１）、受信した番組の番組情報を取得し、番組情報記憶部１０６に登録する（ST１００２）。次に、登録した番組情報記憶部１０６の番組情報に含まれている地理座標を地理座標取得手段１０７で取得し、番組地理情報テーブル１０８を生成する（ST１００３）。なお、上記処理においては、番組情報が更新される毎に番組地理情報テーブル１０８を更新する。
【００２４】
図１０は、視聴者が保持している記録媒体に記録されている地理座標を読み取る処理（図８のST２０００）に関する詳細なフローチャートである。なお、この処理は、視聴者がサッカー観戦において、座席位置の地理座標を記録媒体に記録していることを前提とする。番組選択装置１００が記録媒体を検知した場合（ST２００１のY）、記録媒体に記録されている地理座標を地理座標読取手段１０９で読み取る（ST２００２）。番組選択装置１００が記録媒体を検知しなかった場合（ST２００１のN）は、検知するまで記録媒体に記録されている地理座標を読み取ることは出来ない。
【００２５】
図１１は、番組の番組情報に格納されている地理座標と記録媒体から読み取った地理座標を比較し、比較結果が一致する番組を選択する処理（図８のST３０００）に関する詳細なフローチャートである。まず、図８のST１０００（図９）および図８のST２０００（図１０）で取得した、番組の番組情報に格納されている地理座標と記録媒体から読み取った地理座標を地理座標比較手段１１１で比較する（ST３００１）。その際、記録媒体から読み取った地理座標１１０に最も近い地理座標を持つ番組IDを選択する（ST３００２）。例えば、記録媒体から読み取った地理座標１１０が経度：132度10分58秒5000、緯度：36度00分35秒5000の場合、図７より、最も近い地理座標を持つ映像は番組ID1-1の経度：132度10分58秒0000、緯度：36度00分35秒0000であるため、番組ID1-1が選択される。番組IDが選択されると、番組IDに対応する番組情報を番組情報記憶部１０６から取り出す（ST３００３）。取り出した番組情報に対応するAVデータ（映像データと音声データ）が同期を取りながらAVデコード部１０４で復号され、AV出力部１０５によりAVデータがディスプレイやスピーカーに出力される（ST３００４）。
【００２６】
最も近い地理座標を判断する方法は、例えば、経度と緯度から、記録媒体から読み取った地理座標１１０と、番組地理情報テーブル１０８に存在する各々の番組IDの地理座標７０３の距離を求める方法がある。まず、GPSの緯度経度の精度は、赤道面の半径が6378137.00m、極方向の半径が6356752.31mとして計算される場合、経度の1秒あたりの距離は約30.9m、緯度の1秒あたりの距離は24.7mとなる。これらの値から、図６を参考に距離を計算する。はじめに、点線４０１の距離の求め方を示す。まず、経度方向の１マスの距離は1/2秒より15.45m、緯度方向の１マスの距離は1/2秒より12.35mである。つまり、点線４０１の距離は√{(15.45)2+(12.35)2}より約19.78mとなる。同様に、点線４０２の距離は約29.14m、点線４０３の距離は約63.66m、点線４０４の距離は約77.21m、点線４０５の距離は約124.54m、点線４０６の距離は約110.93m、点線４０７の距離は約108.85m、点線４０８の距離は約47.97mとなり、視聴者の座席位置３０９に最も近い距離は19.78mの点線４０１となり、カメラ３０１が持つ地理座標が視聴者の座席位置３０９に最も近いということが判断出来る。つまり、カメラ３０１の映像を持つ番組ID1−1が選択されることとなる。なお、最も近い地理座標を判断する方法は、この方法に限定されるものではない。
【００２７】
なお、実施の形態１では、地理座標種別がGPSから取得した緯度および経度の場合を示したが、サービス提供者が作成した情報（ある空間における空間位置や座席番号等）の場合でも、同様に最も近いカメラを判定する。また、記録媒体から読み取った地理座標と番組の番組情報に格納されている地理座標が一致する場合も含まれる。
【００２８】
以上説明したように、番組選択装置がサッカー観戦時に記録した視聴者の地理座標を記録媒体から読み取ることで、番組の番組情報に格納されている地理座標と記録媒体から読み取った地理座標を比較し、記録媒体から読み取った地理座標に最も近い地理座標を持つ映像を選択することが可能となり、視聴者がサッカー観戦で体感した近傍の視点での臨場感を自宅で味わうことが出来る。
【００２９】
（実施の形態２）
本発明の実施の形態２では、実施の形態１と同様、放送局からマルチメディアと、マルチメディアの内容に関連する地理座標を格納した番組情報をひとつのTSとした複数の番組を受信する番組選択装置において、視聴者が保持している記録媒体に記録されている地理座標が、番組の番組情報に格納されている地理座標の近傍に存在する場合であって、例えば視聴者が体感したサッカー観戦の臨場感を自宅で再現する場合に、視聴者が体感した視点の映像とは異なる視点からの映像を視聴したい場合を説明する。なお、図４のマルチアングルで多方向から撮影される撮影対象物３００とその周辺のカメラの地理座標を示す斜視図および、図５のカメラ番号と地理座標の組み合わせを示したイメージ図、図６のマルチアングルで多方向から撮影される撮影対象物とその周囲のカメラの位置関係を示す斜視図の座標を示したイメージ図、図７の番組地理情報テーブルを表す図は、実施の形態１と同様であるため、説明を省略する。
【００３０】
図１２は、実施の形態２における、デジタル放送での番組選択装置の機能ブロック図である。基本的に、図１と同様であるが、記録媒体から読み取った地理座標を、視聴者の指定した方位、距離に従って修正する地理座標修正手段１１５を備える構成となっている。
【００３１】
次に、本発明の実施の形態２に関する動作を図１３のフローチャートに基づいて説明する。なお、番組の番組情報に格納されている地理座標の取得フローチャート（図９）、記録媒体に記録されている地理座標の読み取りフローチャート（図１０）、地理座標の比較および番組選択のフローチャート（図１１）に関しては、実施の形態１で示した処理と同様であるため、説明を省略する。
【００３２】
図１３は、地理座標修正手段１１５を備えることによる、地理座標修正処理に関するフローチャートである。なお、この処理は、番組選択装置が、視聴者が保持している記録媒体に記録されている地理座標を読み取っていることを前提とする。また、この地理座標修正処理のタイミングは、視聴者が保持している記録媒体に記録されている地理座標の読み取り時に行っても良いし、番組選択後に行っても良い。まず、視聴者から保持していた地理座標を修正する指示を受けた場合（ST４００１のY）、例えばリモートコントローラから方位と距離が入力されると（ST４００２）、その指示に従い、記録媒体から読み取った地理座標を修正する（ST４００３）。視聴者から保持していた地理座標を修正する指示を受けなかった場合（ST４００１のN）は、処理は行わない。
【００３３】
以上説明したように、上記実施の形態１の基本構成に、記録媒体から読み取った地理座標を修正する手段を追加することで、視聴者がサッカー観戦で体感した臨場感とは異なる視点からサッカー観戦を楽しむことが出来る。
【００３４】
（実施の形態３）
本発明の実施の形態３では、放送局からマルチメディアと、マルチメディアの内容に関連する地理座標を格納した番組情報をひとつのTSとした複数の番組を受信する番組選択装置において、視聴者が保持している記録媒体に記録されている地理座標が、番組の番組情報に格納されている地理座標の近傍に存在しない場合であって、例えば番組録画や番組視聴の際に、視聴者が訪れた場所やその周辺の映像が放送されている番組を選択する場合を説明する。
【００３５】
図１４は、実施の形態３における、デジタル放送での番組選択装置の機能ブロック図である。基本的に、図１と同様であるが、地理座標の比較において、視聴者が指定した距離以内の差異であれば一致と判断するように比較精度を変更する地理座標比較精度変更手段１１６を備える構成となっている。
【００３６】
一日のうちに放送される複数の番組の番組情報は、例えば図１５の番組のロケ地と地理座標の組み合わせを示したイメージ図に示すように、鳩時計台で撮影した映像は経度：140度15分24秒1234、緯度：44度00分98秒5678、ガラス民芸村で撮影した映像は経度：124度10分05秒0123、緯度：26度00分35秒4567、というように、ロケ地に対応する地理座標を持っており、それぞれの番組は、番組ID1から番組IDNまでの複数の番組で放送されるものとする。
図１６では、地理座標取得手段１０７から生成された番組地理情報テーブル１０８の詳細を表す。なお、ロケ地を表す地理座標は、一つの番組IDに複数含まれていても良い。
【００３７】
次に、本発明の実施の形態３に関わる動作を図１７のフローチャートに基づいて説明する。なお、番組の番組情報に格納されている地理座標の取得フローチャート（図９）、記録媒体に記録されている地理座標の読み取りフローチャート（図１０）、地理座標の比較および番組選択のフローチャート（図１１）に関しては、実施の形態１で示した処理と同様であるため、説明を省略する。
【００３８】
図１７は、地理座標比較精度変更手段１１６を備えることによる、比較精度変更処理に関するフローチャートである。なお、この処理は、番組選択装置が、視聴者が保持している記録媒体に記録されている地理座標を読み取っていることを前提とする。また、この比較精度変更処理のタイミングは、視聴者が保持している記録媒体に記録されている地理座標の読み取り時に行っても良いし、番組選択後に行っても良い。まず、視聴者から保持していた地理座標の比較精度を変更する指示を受けた場合（ST５００１のY）、例えばリモートコントローラから距離が入力されると（ST５００２）、その指示に従い、記録媒体から読み取った地理座標から視聴者が指定した距離以内の差異がある地理座標は一致と判断するように比較精度を変更する（ST５００３）。視聴者から保持していた地理座標の比較精度を変更する指示を受けなかった場合（ST５００１のN）は、処理は行わない。
【００３９】
以上説明したように、上記実施の形態１の基本構成に、地理座標の比較精度を変更する手段を追加することで、視聴者が訪れた場所やその周辺の映像が放送されている番組を選択することが出来る。
【００４０】
（実施の形態４）
本発明の実施の形態４では、本発明の実施の形態１から３で説明した放送局からマルチメディアと、マルチメディアの内容に関連する地理座標を格納した番組情報をひとつのTSとした複数の番組を受信する番組選択装置において、地理座標読取手段で読み取った地理座標を記憶し、番組地理情報テーブルが更新される毎に、地理座標の比較を行う場合を説明する。
実施の形態４における、デジタル放送での番組選択装置の機能ブロック図は、図１と同様である。
【００４１】
次に、本発明の実施の形態４に関する動作を図１８のフローチャートに基づいて説明する。なお、番組の番組情報に格納されている地理座標の取得フローチャート（図９）、記録媒体に記録されている地理座標の読み取りフローチャート（図１０）、地理座標の比較および番組選択のフローチャート（図１１）に関しては、実施の形態１で示した処理と同様であるため、説明を省略する。
【００４２】
図１８は、番組地理情報テーブルの更新状態監視処理に関するフローチャートである。まず、読み取った地理座標を記憶する（ST6001）。次に、番組地理情報テーブルが更新されるかを監視し、番組地理情報テーブルが更新された場合（ST600２のY）、処理を終了する。番組地理情報テーブルが更新されない場合（ST600２のN）、番組地理情報テーブルが更新されるまで、監視を続ける。
【００４３】
以上説明したように、地理座標読取手段で読み取った地理座標を記憶することで、番組地理情報テーブルが更新される毎に地理座標を比較することが出来、視聴者が所望する番組を継続的に監視することが出来る。
【００４４】
（実施の形態５）
実施の形態１から４では、デジタル放送での番組選択装置について説明したが、番組選択装置はこれに限定されるものではなく、番組の番組情報に格納される地理座標をメディアに含む番組選択装置であっても良い。
【００４５】
図１９は、実施の形態５における、メディアでの番組選択装置の機能ブロック図である。番組選択装置５００は、メディアからマルチメディアと、マルチメディアの内容に関連する地理座標を格納したタイトル情報を取得し、取得したAVデータの同期を取りながら復号するAVデコード部５０１と、復号されたAVデータをディスプレイやスピーカーに出力するAV出力部５０２と、タイトル情報を登録するタイトル情報記憶部５０３と、タイトル情報記憶部５０３に登録されているタイトル情報から地理座標を取得しタイトル地理情報テーブル５０５を生成する地理座標取得手段５０４と、記録媒体に記録されている地理座標を読み取り、番組選択装置内部に地理座標５０７を取り込む地理座標読取手段５０６と、地理座標取得手段５０４で取得した地理座標と地理座標読取手段５０６で読み取った地理座標とが一致するか比較する地理座標比較手段５０８と、比較結果が一致した番組を選択する地理座標タイトル選択手段５０９と、リモートコントローラ等による視聴者からの操作を受け付ける操作受付部５１０と、操作受付部で視聴者からの操作を受け付けた結果、タイトルを選択するタイトル選択手段５１１と、からなっている。
【００４６】
なお、上記には基本構成となる図１９のみを説明したが、実施の形態２から実施の形態４に記載した地理座標読取手段で読み取った地理座標を、視聴者の指定した方位、距離に従って修正する地理座標修正手段、地理座標比較手段で視聴者が指定した距離以内の差異であれば一致と判断するように比較精度を変更する地理座標比較精度変更手段を追加することも可能である。また、地理座標を取得してからタイトルを選択するまでの処理は、番組を放送で受信するか、メディアから取得するかの相違以外は、実施の形態１から４に記載した処理と同様であるため、説明を省略する。
【００４７】
（実施の形態１〜実施の形態５の第１の補足事項）
上記実施の形態に基づいて説明してきたが、現状において最善の効果が期待出来るシステム例として提示したに過ぎない。本発明は、その要旨を逸脱しない範囲で変更実施することが出来る。
番組選択装置の地理座標読取手段は、SDスロットのような物理的なコネクタでも良いし、非接触ICカードのリーダ・ライタや、赤外線および無線受信部等であっても良い。
（実施の形態１〜実施の形態５の第２の補足事項）
また、TSのエンコード方法は、MPEG2でも良いし、MPEG１やMPEG4、MPEG７を用いても良い。
（実施の形態１〜実施の形態５の第３の補足事項）
また、番組の番組情報に格納されている地理座標は、番組配列情報（SI）のEITに含めても良いし、PMT（Program Map Table）やSDT（Service Description Table）に含めても良く、SIの種類に依存するものではない。また、ある周期で同じデータを繰り返し送信するDSM-CC（Digital Storage Media-Command and Control）に含めても良い。
（実施の形態１〜実施の形態５の第４の補足事項）
また、番組の番組情報に格納されている地理座標は、１〜２週間前から送信されるEPGデータの中に含まれても良い。
【産業上の利用可能性】
【００４８】
本発明にかかる番組選択装置、番組選択方法、番組選択プログラム、プログラムを記録したコンピュータ読み取り可能な記録媒体、集積回路は、複数の番組の中から視聴者が所望する番組を直接的に選択可能な番組選択装置として有用である。
【図面の簡単な説明】
【００４９】
【図１】本発明の実施の形態１における、デジタル放送での番組選択装置の機能ブロック図
【図２】番組情報をEITに含めた場合の番組配列情報の構成図
【図３】地理座標種別の例を示す図
【図４】本発明の実施の形態１および実施の形態２における、マルチアングルで多方向から撮影される撮影対象物とその周囲のカメラの位置関係を示す斜視図
【図５】本発明の実施の形態１および実施の形態２における、カメラ番号と地理座標の組み合わせを示したイメージ図
【図６】本発明の実施の形態１および実施の形態２における、マルチアングルで多方向から撮影される撮影対象物とその周囲のカメラの位置関係を示す斜視図の座標を示したイメージ図
【図７】本発明の実施の形態１および実施の形態２における、番組地理情報テーブルを表す図
【図８】本発明の実施の形態１における、視聴者が所望する番組を選択するフローチャート
【図９】本発明の実施の形態１における、番組の番組情報に格納されている地理座標の取得フローチャート
【図１０】本発明の実施の形態１における、記録媒体に記録されている地理座標の読み取りフローチャート
【図１１】本発明の実施の形態１における、地理座標の比較および番組選択のフローチャート
【図１２】本発明の実施の形態２における、デジタル放送での番組選択装置の機能ブロック図
【図１３】本発明の実施の形態２における、記録媒体に記録されている地理座標の修正フローチャート
【図１４】本発明の実施の形態３における、デジタル放送での番組選択装置の機能ブロック図
【図１５】本発明の実施の形態３における、番組のロケ地と地理座標の組み合わせを示したイメージ図
【図１６】本発明の実施の形態３における、番組地理情報テーブルを表す図
【図１７】本発明の実施の形態３における、記録媒体に記録されている地理座標の比較精度変更フローチャート
【図１８】本発明の実施の形態４における、番組地理情報テーブルの更新状況監視フローチャート
【図１９】本発明の実施の形態５における、メディアでの番組選択装置の機能ブロック図
【符号の説明】
【００５０】
１００  番組選択装置
１０７  地理座標取得手段
１０８  番組地理情報テーブル
１０９  地理座標読取手段
１１０  地理座標
１１１  地理座標比較手段
１１２  地理座標番組選択手段
【図１】
2010034611.tif 000003
【図２】
2010034611.tif 000004
【図３】
2010034611.tif 000005
【図４】
2010034611.tif 000006
【図５】
2010034611.tif 000007
【図６】
2010034611.tif 000008
【図７】
2010034611.tif 000009
【図８】
2010034611.tif 000010
【図９】
2010034611.tif 000011
【図１０】
2010034611.tif 000012
【図１１】
2010034611.tif 000013
【図１２】
2010034611.tif 000014
【図１３】
2010034611.tif 000015
【図１４】
2010034611.tif 000016
【図１５】
2010034611.tif 000017
【図１６】
2010034611.tif 000018
【図１７】
2010034611.tif 000019
【図１８】
2010034611.tif 000020
【図１９】
2010034611.tif 000021